(57)【要約】【課題】遊技装置への組み込みを簡便に行うことができるものとする。【解決手段】端面が対向しているヨーク２１と、このヨーク２１に巻回されたコイル２２と、ヨーク２１が固定されるベース２０板とからなる発射機構部と、ベース板２０の背後に装着されるとともに内部に上記発射機構部の制御用の制御基板４０が配されているケース４とからなる。ケース４は発射機構部と制御基板４０との間に所要の空間をあけているとともに、該空間内に発射機構部から排出されるファール球や小径球等の要排出球の排出用ガイド４４を備える。発射機構部と制御基板とをベース板とケースとで一体化して両者の間に所要の空間をあけることで発射機構部からの漏れ磁束の影響を制御基板が受けてしまうことを避ける。また該空間を利用してファール球や小径球等の要排出球の排出を行う。【選択図】図１
2005143753.tif 000002
【特許請求の範囲】
【請求項１】
端面が対向しているヨークと、このヨークに巻回されたコイルと、ヨークが固定されるベース板とからなる発射機構部と、ベース板の背後に装着されるとともに内部に上記発射機構部の制御用の制御基板が配されているケースとからなり、該ケースは発射機構部と制御基板との間に所要の空間をあけているとともに、該空間内に発射機構部から排出されるファール球や小径球等の要排出球の排出用ガイドを備えていることを特徴とする遊技球発射装置。
【請求項２】
上記排出ガイドは小径球とファール球とを分離排出するものであることを特徴とする請求項１記載の遊技球発射装置。
【発明の詳細な説明】
【技術分野】
【０００１】
本発明は、遊技球、殊にパチンコ玉のような磁性体からなる遊技球を電磁力で発射する遊技球発射装置に関するものである。
【背景技術】
【０００２】
磁性体からなる遊技球に電磁力を直接作用させることで遊技球を発射する遊技球発射装置は、従来、特開平１０−９９４８６号公報（特許文献１）に示されているように、その発射機構部が樹脂製のケース内に収めた状態で遊技装置内に設置されていた。そして、遊技球発射の動作制御を司る制御基板が上記ケースとは別のケースに収納されて遊技装置内の別の箇所に設置され、制御基板と発射機構部とが長い接続ハーネスで接続されていた。
【０００３】
この場合、遊技装置内に２つのものを個別に組み込んで両者を接続ハーネスで接続しなくてはならず、組み込みに手間がかかるものとなっている。
【特許文献１】特開平１０−９９４８６号公報
【発明の開示】
【発明が解決しようとする課題】
【０００４】
本発明は上記の従来の問題点に鑑みて発明したものであって、遊技装置への組み込みを簡便に行うことができる遊技球発射装置を提供することを課題とするものである。
【課題を解決するための手段】
【０００５】
上記課題を解決するために本発明に係る遊技球発射装置は、端面が対向しているヨークと、このヨークに巻回されたコイルと、ヨークが固定されるベース板とからなる発射機構部と、ベース板の背後に装着されるとともに内部に上記発射機構部の制御用の制御基板が配されているケースとからなり、該ケースは発射機構部と制御基板との間に所要の空間をあけているとともに、該空間内に発射機構部から排出されるファール球や小径球等の要排出球の排出用ガイドを備えていることに特徴を有している。発射機構部と制御基板とをベース板とケースとで一体化するとともに、両者の間に所要の空間をあけることで発射機構部からの漏れ磁束の影響を制御基板が受けてしまうことを避けたものであり、また該空間を利用してファール球や小径球等の要排出球の排出用ガイドを設けたものである。
【０００６】
上記排出ガイドは小径球とファール球とを分離排出するものを好適に用いることができる。
【発明の効果】
【０００７】
本発明は、発射機構部と制御基板とをベース板とケースとで一体化しているために、予め両者の電気的接続を行った状態で両者を一度に組み込むことができて、組み込み作業が容易となるものであり、また、一体化しているとはいえ、発射機構部と制御基板との間には所要の空間をあけているために発射機構部からの漏れ磁束の影響を制御基板が受けてしまうことがなく、しかも上記空間を利用してファール球や小径球等の要排出球の排出用ガイドを設けていることから、要排出球の処理のための別部材を必要としないものである。
【発明を実施するための最良の形態】
【０００８】
以下、本発明を添付図面に示す実施形態に基いて説明すると、図示例の発射装置２は、図５に示すように、盤面１０にガイド用のレール１１を配したパチンコ型遊技装置１において用いる磁性体からなる遊技球３を発射するもので、Ｃ字形で両端面が対向するヨーク２１の両端部に夫々コイル２２，２２を配したものをベース板２０に固定したもので発射機構部が構成されている。
【０００９】
ここにおけるヨーク２１は、対向している両端面のうちの一方に非磁性体からなるガイドレール２３が取り付けられ、他方の端面に球止め具２４が付設されている。球供給装置２８から球止め具２４で規定される位置に１個ずつ供給される遊技球３は、コイル２２の励磁によって生じる磁気力で図中の矢印方向に発射される。図４に球止め具２４を示す。発射方向において傾斜しているとともに発射方向と直交する断面が山形となっているために、球供給装置２８から傾いているガイドレール２３上に供給された遊技球３は、球止め具２４によって規定される所定の箇所に位置し、この状態で磁気力が作用して発射される。
【００１０】
上記発射機構部の背面側には、該発射機構部の動作制御を司る制御基板４０を収納したケース４が取り付けられている。このケース４は、発射機構部側に開口面を有するとともに仕切板４１を有しているもので、上記制御基板４０は仕切板４１におけるベース板２０と反対側の面に配設されている。発射機構部と制御基板４０とをベース板２０とケース４とで一体化していることから、パチンコ型遊技装置１への組み込みは予め両者の電気的接続を行った状態で一度に行うことができるものである。
また、仕切板４１はベース板２０との間に間隔を置いた位置に設けられていて、上記制御基板４０とベース板２０との間に所要の空間をあけており、またベース板２０側の面に発射機構部から排出されるファール球３ａや小径球３ｂといった要排出球の排出用の排出ガイド４４を備えたものとなっている。
【００１１】
ここでファール球３ａはいったん発射した遊技球３が発射機構部に戻ってきた場合や、球供給装置２８から複数の遊技球が一度に供給されてしまった場合の遊技球のことを指しており、小径球３ｂは遊技者が混入させた本来の遊技球３よりも直径が小さい球のことを指しており、ファール球３ｂに関しては発射機構部は図３中のイ方向に排出し、小径球３ｂについては図４にも示す前記球止め具２４とガイドレール２３との間の隙間から図３中のロで示す発射方向と反対側に排出する。
【００１２】
発射機構部から排出されたファール球３ａや小径球３ｂは、図２に示すように、上記排出ガイド４４で形成されるファール球３ａ用の排出通路４２もしくは小径球３ｂ用の排出通路４３を経て排出される。
【００１３】
この時、ファール球３ａについては図５に示すように遊技装置１における上皿１２と下皿１３とのうちの下皿１３側に送られ、小径球３ｂについては遊技装置１内に配した回収箱１４内に回収される。
【００１４】
ただし、上記排出ガイド４４に連続する排出ガイド４５に、図５(b)に示すように、小径球３ｂを落下させてしまう開口部４７を閉じてファール球３ａ用の通路側に小径球３ｂを導く切換板４６を設けた場合、小径球３ｂをファール球３ａと同様に下皿１３側に戻すこともできる。
【００１５】
組み込みの手間を削減するために発射機構部４と制御基板４０とを一体化しているものの、両者の間に所要の空間をあけて発射機構部４からの漏れ磁束が制御基板４０に影響してしまうことがないようにしているとともに、上記制御基板４０を収めたケース４には上記空間を利用してファール球３ａや小径球３ｂ等の要排出球の排出用の排出ガイド４４を設けていることから、要排出球の処理のために別部材を設けなくてもよいものである。
【図面の簡単な説明】
【００１６】
【図１】本発明の実施の形態の一例を示すもので、(a)は縦断面図、(b)は正面図である。
【図２】(a)は同上の水平断面図、(b)は同上の横断面図である。
【図３】同上のヨークとコイルの斜視図である。
【図４】同上の球止め具付近を示すもので、(a)は左側面図、(b)は正面図である。
【図５】(a)はパチンコ型遊技装置全体を示す破断斜視図、(b)は排出ガイドの斜視図である。
【符号の説明】
【００１７】
１  遊技装置
２  発射装置
３  遊技球
４  ケース
２０  ベース板
２１  ヨーク
２２  コイル
４０  制御基板
４１  仕切板
４４  排出用ガイド
【図１】
2005143753.tif 000003
【図２】
2005143753.tif 000004
【図３】
2005143753.tif 000005
【図４】
2005143753.tif 000006
【図５】
2005143753.tif 000007